(57)【要約】  【課題】カップ自販機の商品取出口扉の開閉検知装置を外観上判別できなくすることで悪戯や盗難を抑制すること。  【解決手段】商品取出口扉１１に設けられた磁石１２と商品取出口筐体１３に設けられたリードスイッチ１４およびカップ６を搬送するカップ搬送装置７から構成されており、商品取出口扉１１の開閉状態を検知する装置が商品取出口筐体１１側と商品取出口扉側に分離されることにより、意図的に誤検知させることが困難になる。  また、磁石１２およびリードスイッチ１４は共に樹脂で覆われており、外部より商品取出口の検知装置を把握することが困難になる上、非接触でも検知させることが可能になるため、検知装置の存在を隠匿することができ、悪戯や盗難を抑制することができる。【選択図】図１
2007241703.tif 000002
【特許請求の範囲】
【請求項１】
カップ自動販売機の商品取出口において、商品取出口扉の開閉状態を検知する検知装置が外部に露出しないことを特徴とするカップ自動販売機の商品取出口扉の開閉検知装置。
【請求項２】
カップ自動販売機の商品取出口において、商品取出口扉の開閉状態を検知する検知装置に非接触検知素子を使用することを特徴とする請求項１に記載のカップ自動販売機の商品取出口扉の開閉検知装置。
【請求項３】
カップ自動販売機の商品取出口において、商品取出口扉の開閉状態を検知する検知装置に光学式検知素子を使用することを特徴とする請求項１に記載のカップ自動販売機の商品取出口扉の開閉検知装置。
【発明の詳細な説明】
【技術分野】
【０００１】
本発明は商品取出口扉の開閉検知装置を外観上判別できなくすることで悪戯や盗難を抑制するカップ自動販売機の商品取出口に関するものである。
【背景技術】
【０００２】
従来、この種のカップ自動販売機の商品取出口扉の開閉検知装置は、商品取出口扉が商品取出口筐体側に設けられた開閉検知装置の動作スイッチに直接または間接的に接触することにより、開閉状態を検知している（特許文献１参照）。
【０００３】
図４は従来のカップ自動販売機の商品取出口扉の開閉検知装置を示すものである。図４に示すように、本体扉１に設けられて一端を回動自在に固定された商品取出口扉２と、商品取出口筐体３側に固定された開閉検知装置４と、開閉検知装置４と連動して施錠・解除を行う施錠装置５と、自動販売機本体内部で飲料の原料を授受するためにカップ６を搬送するカップ搬送装置７から構成されている。
【特許文献１】特開２００２−２４５５３９号公報
【発明の開示】
【発明が解決しようとする課題】
【０００４】
しかしながら、前記従来の構成では、商品取出口扉２を開放状態にすると商品取出口筐体３に設けられた開閉検知装置４が外観上判別可能であるため、柄等で開閉検知装置４に意図的に接触することにより、商品取出口扉２が開放状態にも拘わらず自動販売機の制御装置（図示せず）が商品取出口扉２を閉鎖状態であると誤認識してしまう。
【０００５】
したがって、これにより制御装置（図示せず）が施錠装置５を作動させても施錠できず、さらに、カップ自動販売機本体内部（図示せず）に設けられたカップ搬送装置７が販売待機位置に移動するため、目隠しとなっていたカップ搬送装置７がなくなり、商品取出口筐体３からカップ自動販売機本体内部（図示せず）が露顕してしまうことになり、悪戯や紙幣、および硬貨を盗難しようとする犯罪行為を誘発することへの対応という課題を有していた。
【０００６】
本発明は、前記従来の課題を解決するもので、商品取出口扉の検知装置を外部から判別できなくすることにより悪戯や盗難を抑制することができるカップ自動販売機の商品取出口扉の開閉検知装置を提供することを目的とする。
【課題を解決するための手段】
【０００７】
前記従来の課題を解決するために、本発明のカップ自動販売機の商品取出口扉の開閉検知装置は、検知装置を外部から隠匿することによって認識できなくするとともに、検知装置を非接触式にして商品取出口扉の開閉状態を検知できるものである。
【０００８】
これによって、商品取出口扉の開閉状態を誤検知させることができなくなり、悪戯や盗難を抑制する。
【発明の効果】
【０００９】
本発明のカップ自動販売機の商品取出口扉の開閉検知装置は、検知装置を外部から隠匿することにより、商品取出口扉の開閉状態を誤検知させることができなくなり、悪戯や盗難を抑制できる。
【発明を実施するための最良の形態】
【００１０】
請求項１に記載の発明は、商品取出口扉の開閉状態を検知する検知装置の商品取出口筐体側に設けられた部品、および商品取出口扉に設けられた部品を共に外部に露出させないことによって外部から部品の存在を隠匿することができ、開閉状態を誤検知させることができなくなり、悪戯や盗難を抑制することができる。
【００１１】
請求項２に記載の発明は、請求項１に記載の発明に商品取出口扉の開閉状態を検知する検知装置に磁力等の可視できない手段を使用することにより、検知装置の商品取出口扉と商品取出口筐体の間に検知装置を隠すための構造物が存在しても透過して検知することができ、検知装置の存在を外部より認識し難くさせて悪戯や盗難を抑制することができるとともに、検知装置を動作機構に頼らなくてすむため、繰返しの使用による磨耗や故障を低減させることができる。
【００１２】
請求項３に記載の発明は、請求項１に記載の発明に商品取出口扉の開閉状態を検知する検知装置に赤外線等の可視できない光源を使用することにより、検知装置を隠匿することができ、また、検知装置の存在を認識された場合においても専用の装置が必要になるため悪戯や盗難を抑制することができる。
【００１３】
以下、本発明の実施の形態について、図面を参照しながら説明する。なお、本発明の実施の形態によって本発明が限定されるものではない。
【００１４】
（実施の形態１）
図１は、本発明の実施の形態１におけるカップ自動販売機の商品取出口扉の開閉検知装置の構成を示す斜視図で、検知装置として磁力により動作するリードスイッチを用いた構成のものである。
【００１５】
図１において、カップ自動販売機の商品取出口は、本体扉１に設けられて一端を回動自在に固定された商品取出口扉１１と、商品取出口扉１１に設けられた磁石１２と、商品取出口筐体１３側に設けられたリードスイッチ１４と、商品取出口扉１１の施錠装置（図示せず）と、カップ６を搬送するための商品搬送機構７から構成されている。
【００１６】
以上のように構成されたカップ自動販売機の商品取出口扉の開閉検知装置について、以下その動作、作用を図２を用いて説明する。
【００１７】
まず、図２（ａ）は自動販売機の販売待機時における商品取出口の状態である。商品取出口扉１１は「閉」位置にあり、施錠装置５が作動して商品取出口扉１１を閉鎖している状態である。
【００１８】
図２（ｂ）は飲料が購入されて、調理済みのカップ６を載せた商品搬送機構７が取出口まで移動して施錠装置５が解除され、商品取出口扉１１が「閉」位置にあるものの開放可能状態にある。このとき磁石１２とリードスイッチ１４は向かいあう位置にあり、近接した磁石によりリードスイッチがＯＮの状態にあるので商品取出口扉１１が「閉」状態であることを認識している。
【００１９】
図２（ｃ）は商品取出口扉１１が開放状態にあり、磁石１２とリードスイッチ１４が離れ、磁石の磁気がリードスイッチ１４に及ばない状態にあるので商品取出口扉１１が「開」状態であると認識している。
【００２０】
図２（ｄ）は商品取出口より調理済み飲料が取出されて、商品取出口扉１１が「閉」位置まで戻った状態である。このとき磁石１２とリードスイッチ１４は向かいあう位置にあり、磁気を検知できる状態にあるので商品取出口扉１１が「閉」状態であることを認識できる。したがって、制御装置（図示せず）は、商品搬送装置７に設けられたカップ検知装置（図示せず）にカップ６が無いことを検知し、併せて商品取出口扉１１が「閉」状態にあることを総合的に判定し、施錠装置５を作動して商品取出口扉を閉鎖する。
【００２１】
以上のように、本実施の形態において、上記一連の動作にて商品取出口扉１１に施錠を行っているが、検知装置を商品取出口扉１１側に磁石１２および商品取出口筐体１３側にリードスイッチ１４と分離することにより、検知装置を商品取出口扉側または商品取出口筐体側のどちらか一方に集約する場合と比較して、悪戯等によって誤検知させることが困難になる。
【００２２】
また、本実施の形態における磁石１２とリードスイッチ１４は樹脂１５で覆われており、外部より商品取出口の検知装置を把握することが困難になる上、非接触でも検知させることが可能になるため、検知装置の存在を隠匿することができ、開閉状態を誤検知させることができなくなり、悪戯や盗難を抑制することができる。
【００２３】
また、本実施の形態における商品取出口扉は、開放時に手で開けて商品取出後に弾性手段等で自動的に閉まる手動式、および開閉動作ともに機構によって行う全自動式を問わない。さらに、商品取出口扉の形状も上記説明を行ったヒンジ式および商品取出口扉がレールに沿って前後左右または上下にスライドするスライド式を問わない。
【００２４】
（実施の形態２）
図３は、本発明の実施の形態２におけるカップ自動販売機の商品取出口扉の開閉検知装置を示す断面図である。検知装置を除いた構成・飲料調理手順は（実施の形態１）に示した通りであるが、検知装置であるリードスイッチに代わって赤外線検知装置が設けられている。
【００２５】
図３のように商品取出口扉２１に設けられた赤外線発生素子２２と、商品取出口筐体２３側に固定された赤外線受光素子２４と、商品取出口扉２１の施錠装置５から構成されている。商品取出口扉２１の開閉動作と施錠装置５の動作は実施の形態１と同様に赤外線発生装置により赤外線受光の有無により行われている。
【００２６】
以上のように、本実施の形態においてリードスイッチの替わりに赤外線発生装置を用いることにより、リードスイッチと同等の効果が得られる他、開閉検知装置の感度を可変させて、検知精度を向上させることができる。
【産業上の利用可能性】
【００２７】
以上のように、本発明にかかるカップ自動販売機の商品取出口の検知装置は、非接触による検知装置を外部より隠匿することができ、悪戯や盗難の抑制が可能となるので、検知装置を用いて商品取出口を施錠する缶、瓶、カップ、タバコ、食料品、日用品、新聞等の自動販売機用途にも適用できる。
【図面の簡単な説明】
【００２８】
【図１】本発明の実施の形態１におけるカップ自動販売機の商品取出口扉の開閉検知装置の構成を示す斜視図
【図２】（ａ）同実施の形態のカップ自動販売機の商品取出口扉の開閉検知装置を示す断面図（ｂ）同実施の形態のカップ自動販売機の商品取出口扉の開閉検知装置を示す断面図（ｃ）同実施の形態のカップ自動販売機の商品取出口扉の開閉検知装置を示す断面図（ｄ）同実施の形態のカップ自動販売機の商品取出口扉の開閉検知装置を示す断面図
【図３】本発明の実施の形態２におけるカップ自動販売機の商品取出口扉の開閉検知装置を示す断面図
【図４】従来のカップ自動販売機の商品取出口扉の開閉検知装置を示す断面図
【符号の説明】
【００２９】
１    カップ自動販売機本体扉
５    施錠装置
６    カップ
７    カップ搬送装置
１１  商品取出口扉
１２  磁石
１３  商品取出口筐体
１４  リードスイッチ
１５  樹脂
２１  商品取出口扉
２２  赤外線発生素子
２３  商品取出口筐体
２４  赤外線受光素子
【図１】
2007241703.tif 000003
【図２】
2007241703.tif 000004
【図３】
2007241703.tif 000005
【図４】
2007241703.tif 000006